(57)【要約】【課題】電源に関連するノイズの低減をより安価または簡単な構成で実現する。【解決手段】電力スイッチングにタイムスロットを割り当てるための方法、装置、及び／または、システムの実施形態が開示される。【選択図】図２Ａ
2005185093.tif 000002
【特許請求の範囲】
【請求項１】
電力スイッチングのタイム・スロット割り当てを実施するステップを含む、方法。
【請求項２】
前記割り当てを実施するステップが、少なくとも１つのスイッチング電圧調整器（１５０、１６０、または、１７０）及び少なくとも１つのスイッチング・モータ駆動回路（１１０、１２０、または、１３０）にタイム・スロットを割り当てるステップを含み、前記少なくとも１つのスイッチング電圧調整器（１５０、１６０、または、１７０）及び前記少なくとも１つのスイッチング・モータ駆動回路（１１０、１２０、または、１３０）が、実質的に一致しないタイム・スロット割り当てを施される、請求項１に記載の方法。
【請求項３】
電力スイッチング装置にタイム・スロット割り当てを施して、前記スイッチング電力装置の少なくともいくつかのスイッチングが実質的に一致しないようにするステップを含む、方法。
【請求項４】
複数のスイッチング電力装置を含む集積回路チップ（ＩＣ）（１００、８１０）を具備し、前記ＩＣ（１００、８１０）が、前記スイッチング電力装置にタイム・スロット割り当てを施して、前記複数のスイッチング電力装置の少なくともいくつかのスイッチングが実質的に一致しないようにするように構成されることからなる、装置。
【請求項５】
前記ＩＣ（１００、８１０）に結合された複数の電力消費装置（８２０）をさらに具備する、請求項４に記載の装置。
【請求項６】
複数のスイッチング電力装置を含む集積回路チップ（ＩＣ）（１００、８１０）を具備し、
前記ＩＣ（１００、８１０）が、スイッチングにタイム・スロット割り当てを施して、前記複数のスイッチング電力装置の少なくともいくつかのスイッチングが実質的に一致しないようにするように構成され、
前記集積回路チップ（１００、８１０）が少なくとも１つの電力消費装置（８２０）に結合される、システム。
【請求項７】
前記スイッチング電力装置の少なくとも１つの特定のタイム・スロットがプログラム可能である、請求項６に記載のシステム。
【請求項８】
集積回路チップ（ＩＣ）（１００、８１０）を具備し、
前記ＩＣ（１００、８１０）が、スイッチング電力装置にタイム・スロット割り当てを施して、複数のスイッチング電力装置の少なくともいくつかのスイッチングが実質的に一致しないようにするための手段を備えることからなる、装置。
【請求項９】
スイッチング電力装置にタイム・スロット割り当てを施して、複数のスイッチング電力装置の少なくともいくつかのスイッチングが実質的に一致しないようにするための手段と、
少なくとも１つの電力消費装置（８２０）
とを備える装置。
【請求項１０】
少なくとももう１つの電力消費装置（８２０）をさらに備える、請求項９に記載の装置。
【発明の詳細な説明】
【技術分野】
【０００１】
【背景技術】
【０００２】
電気及び／または電子回路は、電源を利用して動作する。電源が、直流（ＤＣ）電流及び／またはＤＣ電圧の形で、直流電気を供給する場合が多い（必ずしもそうとは限らないが）。こうした電源に関連した問題はノイズの低減である。電源に起因するノイズは、回路性能全体に悪影響を及ぼすこともあり得る。従って、一般に、こうしたノイズは低減することが望ましい。こうした状況におけるノイズは、外部フィルタ回路等を用いて低減させる場合が多い。しかし、こうした回路によって、複雑性及びコストが増すことになる。
【発明の開示】
【発明が解決しようとする課題】
【０００３】
したがって、本発明の１つの目的は、電源に関連するノイズの低減をより安価及び／または簡単な構成で実現することである。
【課題を解決するための手段】
【０００４】
本発明は、一態様において、電源スイッチングのタイム・スロット割り当てを実施する手段である。当該手段が、少なくとも１つのスイッチング電圧調整器及び少なくとも１つのスイッチング・モータ駆動回路にタイム・スロットを割り当てる手段を含み、前記少なくとも１つのスイッチング電圧調整器及び前記少なくとも１つのスイッチング・モータ駆動回路が、実質的に一致しないタイム・スロット割り当てを施される。
【実施例】
【０００５】
本発明については、添付の図面及び下記の詳細な説明を参照することによって最もよく理解することが可能である。
【０００６】
電力スイッチングのタイム・スロット割り当てを施すためのシステム、装置、デバイス、及び／または、方法の実施態様について説明する。下記の説明において、数多くの特定の詳細が明らかにされる。しかし、云うまでもないが、説明する実施態様は、これら特定の詳細がなくても実施可能である。他の事例では、示される説明を不必要に曖昧にしないように、周知の回路、構造、及び／または、技法については詳細に示されていない。
【０００７】
この明細書全体を通じて、「実施態様の１つ」及び／または「ある実施態様」とは、説明する特定の特徴、構造、及び／または、特性を少なくとも１つの実施態様に組み込むことが可能であるということを表わしている。従って、本明細書の様々な箇所に現れる「実施態様の１つでは」または「ある実施態様では」という表現は、一般に、ある特定の実施態様または同じ実施態様を指すものではない。さらに、本明細書全体を通じて説明されるさまざまな特徴、構造、及び／または、特性は、１つ以上の実施態様において、任意の適切なやり方で組み合わせることも可能である。
【０００８】
前述のように、電気及び／または電子回路は、電源を利用して動作する。電源は、直流（ＤＣ）電流及び／またはＤＣ電圧の形で直流電気を供給する場合が多い（必ずしもそうとは限らないが）。こうした電源に関連した問題がノイズ低減である。電源に起因するノイズは、回路全体の性能に悪影響を及ぼすこともあり得る。従って、一般に、こうしたノイズは低減することが望ましい。こうした状況におけるノイズは、外部フィルタ回路等を用いて低減させる場合が多い。しかし、こうした回路によって、複雑性及びコストが増すことになる。従って、依然として、電源ノイズを低減させる技法が必要とされている。
【０００９】
図１は、集積回路（ＩＣ）チップの実施態様１００を例示した概略図であるが、本発明の範囲は、この特定の実施態様に限定されるわけではない。例えば、代替実施態様は、必ずしも、１つ以上のＩＣ内／上において実施されるとは限らない。しかし、この特定の実施態様には、例えば、本実施態様の場合、１５０、１６０、及び、１７０のようなスイッチング電圧調整器（以下では、調整器をレギュレータとも記載）や、１１０、１２０、及び、１３０のようなスイッチング・モータ駆動回路といった、スイッチング電力（または電力スイッチング）装置を組み込んだＩＣが含まれている。実施態様１００には、充電ポンプ（チャージポンプ）１７５及びクロック発振器１８０も含まれている。これに関して、スイッチング電力装置は、電力の調整及び／または変調を行う回路または回路のコンポーネントを表しており、この場合、その調整及び／または変調の態様は、例えば、電流レベル及び／または電圧レベルといった、識別可能な電気レベル間においてスイッチまたは変化する信号に関連している。
【００１０】
実施態様１００には、ＤＣ−ＤＣ電圧調整器を含む電圧調整器が含まれているが、本発明の範囲はこの点で限定されるわけではない。この実施態様の場合、例えば、ＩＣ１００には、直流３２ボルト（不図示）が印加されるが、スイッチング電圧調整器１５０には３．３ボルト・スイッチング調整器が含まれる。同様に、この特定の実施態様の場合、補助調整器（または、予備調整器）１６０及び１７０には、ＤＣ−ＤＣ電圧調整器も含まれるが、代わりに、関係する特定の用途に応じて、ＡＣ−ＤＣまたはＡＣ−ＡＣ調整器のような他の調整器を用いることも可能である。この実施態様では、所望の場合、調整器１６０及び１７０を用いて、直流３．３ボルト以外の、それより高いか低い出力電圧レベルを生じることも可能である。従って、留意すべきは、これらの電圧値が、単なる例であって、本発明の範囲を制限することを意図したものでは全くないという点である。従って、スイッチング電圧調整器は、任意の所望の電圧レベルまたは複数の電圧レベルを提供することが可能である。同様に、多くの可能性のあるアーキテクチャは、制限するわけではないが、バック・コンバータ（buck converter）、フィードバックを用いる調整器、プッシュ・プル電圧調整器等を含む、スイッチング調整器に利用可能である。
【００１１】
図４には、典型的なスイッチング電圧調整器の構成が例示されているが、もちろん、これは単なる一例にすぎない。図４に示す実施態様では、１つの電界効果トランジスタ（ＦＥＴ）が用いられている。この実施態様には、高側ＦＥＴ４００と低側ダイオード４１０が含まれているが、代わりに、他のさまざまな実施態様を用いることも可能である。例えば、４１０は、代わりに、別のＦＥＴから構成することも可能である。この場合、４００は、ＰチャネルＦＥＴから構成される。例示のように、ＦＥＴ４００によって、インダクタ４２０への信号経路が提供される。詳細には例示されていないが、フィルタリングを施された電圧出力信号は、インダクタ４２０及びキャパシタンス４３０によって図４のフィードバック制御回路４０５に供給される。この特定のフィードバック制御回路によって、フィードバック信号がＦＥＴドライバ４１５に供給される。従って、少なくとも部分的に、出力電圧信号レベルに基づいて、フィードバック制御回路は、ＦＥＴの入力ポートを駆動することによって生じる出力電圧信号レベルを調整する働きをする。もちろん、フィードバック信号は、代わりに、ＦＥＴに直接結合することも可能である。しかし、ここでは、この実施態様の場合、コンデンサ４３５が、ＦＥＴに加えられる信号から直流バイアスをフィルタリングして除去するために挿入されている。前述のように、これは、用いることができる可能性のある無数の回路のうちの、可能性のある実施態様の１つでしかない。
【００１２】
ＩＣ１００には、２つの補助電圧調整器１６０及び１７０が含まれている。これらのスイッチング電圧調整器の出力電圧は、少なくとも部分的に、加えられる外部信号に基づいて設定することが可能である。この実施態様の場合、これらの調整器は、１ボルト〜１６ボルトの電圧レベルに設定することが可能である（もちろん、本発明の範囲は、この点で制限されるわけではない）。これは、いくつかある方法の任意の１つで実施することが可能であり（但し、本発明は、特定のアプローチに限定されるわけではない）、図５には、可能性のある方法の１つが例示されている。補助調整器の場合、例えば、フィードバック制御は、分圧器５２０によって実施可能である。同様の構成５２６は、例えば、Ｒが、出力電圧信号を有効に調整できるように、外部に設けられた抵抗とすることが可能である点を除けば、基準信号にも適用可能である。従って、図５に示す実施態様の場合、フィードバック信号は、駆動回路／差動増幅器５１５及び５２５に加えられ、基準信号Ａ及びＢと比較される。Ｒを調整すると、基準信号が調整され、その結果、出力電圧信号が調整される。同様に、前述のように、いくつかあるスイッチング電圧調整器のうち任意の１つを１６０及び１７０に用いることが可能であり、本発明の範囲は、スイッチング電圧調整器の特定のタイプに制限されるわけではない。
【００１３】
上で示唆したように、スイッチング電力調整器以外に、ＩＣ１００には、１１０、１２０、及び、１３０のようなスイッチング電力モータ駆動回路または回路系が含まれる。これらの回路は、ＩＣ外部のモータを駆動する電力信号を供給することが可能である。これらのモータ駆動回路には、Ｈ型ブリッジ回路を含むことが可能である（但し、本発明の範囲は、この点で制限されるわけではない）。これに関して、Ｈ型ブリッジ回路は、例えば、図６に示すように、Ｈ型構造を有する回路を表わし、供給電流のデューティ・サイクルを調整することで、モータのデューティ・サイクルを調整するＨ型ブリッジ回路のスイッチング素子によって、ＤＣモータに電流を供給することが可能である。
【００１４】
図６を参照すると、ＤＣモータ６５０は、この場合、ＦＥＴである４つのスイッチング素子６１０、６２０、６３０、及び、６４０を含む形態のＨ型ブリッジ回路に電気的に結合されている。制御信号回路６６０は、ＦＥＴのゲートに電圧信号を印加して、スイッチング素子の状態をスイッチする。これらの素子は、ＤＣモータに供給されるパルス電流のデューティ・サイクルを調整して、ＤＣモータの回転速度を制御または調整するために、及び、供給電流の方向を変更することによって回転方向を逆にするために用いることが可能である。スイッチング素子６１０及び６２０は、電源Ｖに結合されており、素子６３０及び６４０は、アースに結合されている。モータは、一方の端子が６１０と６３０の間の接合に結合され、もう一方の端子が６２０と６４０の間の接合に結合されている。６１０〜６４０のスイッチング動作を組み合わせて、ＤＣモータに供給される電流を調整することによって、逆転を含む、速度制御を実現することが可能である。例えば、素子６１０及び６４０がオフの場合、電流は、６２０及び６３０を介して、電源からアースに流れる。この結果、モータは順方向に回転する。同様に、６１０及び６４０がオンで、６２０及び６３０がオフの場合、この結果として、電流の流れが逆になり、従って、モータは逆方向に回転することになる。
【００１５】
図８には、例えば、コンピュータ周辺装置のような電力消費装置８２０に結合された、例えば、前述のスイッチング電圧調整器及び／またはスイッチング・モータ駆動回路を含むＩＣ８１０を含むことが可能なシステムの１つの実施態様８００が例示されている。例えば、モータは、例えば、プリンタ、スキャナ、コピー機、ファクシミリ装置、及び／または、その任意の組み合わせといった、例えば、コンピュータ周辺装置を含む、いくつかの可能性のある外部装置（但し、本発明の範囲は、この点で制限されるわけではない）の任意の１つにおいて用いることが可能である。他の装置には、ディジタル・スチール・カメラまたはディジタル・ビデオ・カメラのようなディジタル・カメラ、携帯電話、個人用情報携帯端末、テレビジョン、ラジオ、ＤＶＤプレーヤ、ＣＤプレーヤ、カセット・プレーヤ、ハード・ドライブ、ＤＶＤバーナ、ＣＤバーナ、フロッピ・ドライブ、電子ゲーム装置等を含むことが可能である。従って、一般に、電力を消費するモータ及び／または任意の装置を用いる任意の装置が、前述のように、ドライバ回路または調整回路を用いることが可能である。
【００１６】
同様に、ＩＣ１００には、充電ポンプ（チャージポンプ）も含まれているが、やはり、本発明の範囲は、充電ポンプを含むように限定されるわけではない。図３には、充電ポンプの可能な実施態様の１つが例示されている。この場合、充電ポンプは、３２Ｖを超える電圧源を設けて、ＩＣのどこかに配置可能なＮＭＯＳ素子をオンにするのを助けるために用いられる。これは、もちろん、充電ポンプの可能性のある用途のほんの１つでしかなく、本発明の範囲は、この特定の用途に限定されるわけではない。しかし、図３に例示のように、この実施態様は、トランジスタ、すなわち、この場合、ＦＥＴ３１０及び３２０をスイッチして、まず、コンデンサ３３０に電荷が蓄積され、引き続き、その電荷がコンデンサ３３０からコンデンサ３４０に放出されるようにする働きをする。従って、まず、ＦＥＴ３２０がオンになる。電流が、電圧源Ｖ３２から、ダイオード３５０を通り、コンデンサ３３０を通り、さらに、ＦＥＴ３２０を通って流れる。従って、コンデンサ３３０は、３２ボルトまで充電される。コンデンサ３３０の充電後、ＦＥＴ３２０はオフになり、ＦＥＴ３１０がオンになる。次に、電流が、電圧源Ｖ３２から、ＦＥＴ３１０を通り、コンデンサ３３０を通り、さらに、ダイオード３６０を通って、コンデンサ３４０に流入する。従って、コンデンサ３４０は、約３２ボルトまで充電される。コンパレータ３７０及び内部電圧源３８０を使用して、コンデンサ３４０が３２ボルトをどれほど超えて充電されるかが決定される。
【００１７】
前述のように、図１及び前述の回路構成は、単なる実施態様例でしかなく、本発明の範囲は、前述の回路構成を用いるように制限されるわけでは全くない。前述の回路構成の代わりに、または、それに加えて、他の回路構成を用いることも可能である。従って、本発明の範囲は、図１に例示のスイッチング電力装置の特定のタイプに限定されるわけではない。例えば、他のタイプのスイッチング電力装置には、冷蔵庫またはエアコンのようなコンプレッサの駆動回路、ランプまたは他の照明器具のような照明の駆動回路、ディスプレイの駆動回路、ブレンダ、トースタ、ミキサ等のような器具の駆動回路、電子式玩具の駆動回路、テレビジョン、ステレオ、ＤＶＤプレーヤ、及び、ＣＤプレーヤの駆動回路、及び／または、現在既知の、または、今後開発される他の任意のタイプのスイッチング電力駆動回路が含まれる。やはり、電力を消費するどの装置にも、スイッチング駆動装置または調整回路を含めることが可能であり、従って、本発明の範囲内に含まれる。
【００１８】
さらに詳細に後述するように、前述の実施態様のある態様には、こうしたスイッチング電力装置のスイッチングのタイム・スロット割り当てが含まれている。これに関して、タイム・スロット割り当てという用語は、２つ以上のスイッチング電力装置のスイッチングに関して、少なくとも２つ、または、全てのスイッチング電力装置が、それぞれのスイッチングのタイミングに関して実質的に一致することがない（または全く一致することがない）ように調整することを表わしている。ここで、この用語は、振動の基本周波数に関連して用いられており、タイム・スロットは、一連の周期のうちの特定の周期または部分周期を表わしている。いくつかの実施態様では、これが、前記周期、部分周期、または、一連の周期から導き出されるタイミング・パルスの立ち上がりエッジによって示されることが多い、装置を「オン」に切り換えることを表す場合もあるが、他の実施態様では、これが、スイッチング電力装置の全てのスイッチングを表す場合もあり、こうした実施態様では、問題となる特定の装置の全てのスイッチングが、実質的に（または全く）一致しないように意図されていることを意味する。
【００１９】
この特定のアプローチの利点の１つは、電源から引き出される電力量を時間の経過とともに分散させることができる点にあり、これには、有益な効果をもたらす可能性がある。例えば、電流変化によって誘発される可能性のあるスイッチング・ノイズの低減が可能になる。これは、そうでない場合には、特定の装置がオンまたはオフに切り換えられる時に生じるであろう電流変化が減少することに少なくとも部分的には起因するであろう。すなわち、このアプローチを用いない場合には、同じか、または、ほぼ同じパルスでオンに切り換わる可能性のあるこうした２つの装置が、そうならない場合には、電流の変化、及び、誘発される可能性のあるノイズを低減することが可能になる。本発明の範囲は、ＩＣに限定されるわけではないが、ＩＣで実施される実施態様の場合、回路構成のサイズ及び近接性によって、こうしたノイズ低減が望ましいものになる可能性がある。というのも、ノイズは、回路性能全体に悪影響を及ぼす可能性が高いためである。同様に、もう１つの可能性のある利点として、ＥＭＩ放射の低減が考えられるが、本発明が、スイッチング・ノイズの低減またはＥＭＩ放射の低減を実現する実施態様に限定されるわけではないのは明らかである。これらは、ただ単に、電力装置のスイッチングに対するタイム・スロット割り当てに関して可能性のある利点の例でしかない。タイム・スロット割り当てによって、さらなる利点が得られることになり、従って、本発明の範囲は、特定の列挙された利点をもたらす実施態様に限定されるわけではない。
【００２０】
図２Ａ及び図２Ｂは、図１に示す実施態様に関するタイミング図である。波形２１０は、この特定の実施態様に関する振動の基本周波数を示す。もちろん、本発明の範囲は、振動の特定の周波数に制限されるわけではない。同様に、波形３１０は、典型的な方形波を示す。例示のように、方形波３１０の１周期内に、基本周波数の振動が６４回生じるが、やはり、これは、単なる一例でしかなく、本発明の範囲を制限するものではない。方形波３１０は、ただ単に、この特定の実施態様において適用されるタイム・スロット割り当てを比較するための基準として提示されたものでしかない。従って、例示のように、波形４１０は、スイッチング電圧調整器１５０のスイッチングを示している。この場合、これは方形波３１０の立ち上がりエッジとほぼ同時に発生する。電圧調整器１６０及び１７０は、対照的に、方形波３１０に対してスイッチするが、スイッチするのは、それぞれ、波形５１０及び６１０によって示された、その立ち上がりエッジの後である。図２Ａに示すように、スイッチング調整器１６０は、基本周波数の１６番目のパルスと同時またはほぼ同時にスイッチし、一方、スイッチング調整器１７０は、基本周波数の３２番目のパルスと同時またはほぼ同時にスイッチする。従って、この場合、スイッチング電圧調整器のスイッチングは、所望のように、実質的に一致しない。もちろん、本発明の範囲が、振動基本周波数の特定のパルスと同時にスイッチすることに限定されるわけではなく、これらが単なる例として示されたものでしかないのは明らかである。さらに、この実施態様の場合、スイッチングにおいて実質的に一致するものがないように、スイッチング調整器の全てにタイム・スロット割り当てが施される。もちろん、特定の実施態様によれば、スイッチング電圧調整器のあるサブセット、または、他のスイッチング電力装置に、タイム・スロットを割り当てて、それらのスイッチングが実質的に一致するようにする一方で、他のものについては実質的に一致しないようにするのを許容できる場合もある。
【００２１】
波形８１０は（これも単なる比較のためであるが）別の方形波を示す。この特定の波形には、その周期内に５１２の基本周波数の振動または周期が含まれている。同様に、８１０のような方形波は、５０％のデューティ・サイクルを示すが、もちろん、本発明の範囲が、５０％のデューティ・サイクルに限定されるわけではないという点に留意されたい。本発明の範囲内には、任意のパーセンテージの任意のデューティ・サイクルが含まれる。しかし、この特定の実施態様の場合、駆動されるモータは、少なくとも約５０％のデューティ・サイクルを用いる。前述のように、用いられる波形のデューティ・サイクルは、モータのデューティ・サイクルに影響を及ぼすことになる。しかし、波形９１０、９２０、及び、９３０によって例示されるように、これらの波形には、実質的に同時にスイッチしないように（スイッチのタイミングが完全に同時ではないこと、または、スイッチのタイミングが概ねずれていることを含む）タイム・スロットが割り当てられる。従って、９１０を参照すると、立ち上がりエッジが基本周波数の６番目のパルスと同時またはほぼ同時に生じるが、９２０の場合は、立ち上がりエッジが１３４番目のパルスと同時またはほぼ同時であり、９３０については、２６２番目のパルスと同時またはほぼ同時にスイッチする。この特定の実施態様の場合、スイッチング電圧調整器に関して上述のように、モータの駆動回路によって実施されるスイッチングには、実質的に一致するものがないが、この場合も、代替実施態様の場合、スイッチングに実質的に一致するものがあることを許容できる場合もある。
【００２２】
この特定の実施態様のもう１つの態様では、どのスイッチング電力装置によるスイッチングにも実質的に一致するものはない（但し、本発明の範囲がこの点で限定されるわけではない）。例えば、波形７１０によって例示されるように、チャージポンプ１４０は、基本周波数のおよそ４８番目のパルスでスイッチする。この場合も、実施態様によっては、スイッチング電力装置によるスイッチングに実質的に一致するものがあることを許容できる場合もある。これは、回路のサイズ、電源、スイッチング装置の近接性、及び、特定の装置の起動中に引き込まれる電流量といった多くの要因によって変動する可能性があるが、これらは、実質的に一致するスイッチングをある程度許容できるか否かに影響を及ぼす可能性のある潜在的要因の単なる一例でしかない。
【００２３】
同様に、別の実施態様は、１つ以上のスイッチング電力装置のスイッチングのために特定のタイム・スロットをプログラムする機能を含むことが可能であることに留意されたい。例えば、ＩＣ実施態様の場合（本発明の範囲はＩＣ実施態様に限定されるわけではないが）、基本周波数の経過振動数に従って、スイッチングにタイム・スロットを割り当てることができるように、レジスタを組み込むことも可能である。例えば、図７を参照すると、カウンタ７２０のＬポートに信号を加えることによって、レジスタ７１０の内容をカウンタにロードすることが可能である。カウンタ７２０は、ポートＤにクロック信号を加えることによって、各順次クロック・パルス毎に、デクリメントすることが可能である。カウンタ７２０は、ゼロまでカウントダウンし、ゼロになった時点で、クロック信号と共に、出力信号がＡＮＤゲート７３０に加えられる。カウンタの出力信号は、この時点において「高」のため、クロック信号は、ＡＮＤゲート７３０を介して駆動回路に送られ、クロックの適切なパルスで適切な回路を起動させる。もちろん、これは、スイッチング電力装置のタイム・スロット割り当てをプログラムする技法の一例でしかなく、本発明の範囲は、この特定の例に限定されるわけではない。他のハードウェア回路、ファームウェアによるプログラミング、または、ランダム・アクセス・メモリ、ＣＤ、フロッピディスク、または、他の何らかの記憶媒体に記憶されたソフトウェアによるプログラミング、あるいは、ハードウェア、ファームウェア、及び／または、ソフトウェアの任意の組合せを用いたプログラミングを含めて、多くの他の技法が可能であり、それらもまた本発明の範囲内に含まれる。
【００２４】
本発明をいくつかの実施態様に関して説明したが、当業者には明らかなように、本発明は、説明した実施態様に限定されるわけではなく、それらの実施態様に修正及び／または変更を施して実施することが可能であり、そのようなものも依然として添付の特許請求の範囲における本発明の思想及び／または範囲内に含まれる。したがって、以上の説明は、単なる例示であるとみなすべきであり、本発明の範囲を限定するものではない。
【図面の簡単な説明】
【００２５】
【図１】タイム・スロット電力スイッチングの実施態様の１つを実施する機能を備えた集積回路チップの１つの実施態様を例示する概略図である。
【図２Ａ】図１に例示した実施態様に関するタイミング図である。
【図２Ｂ】図１に例示した実施態様に関するタイミング図である。
【図３】チャージポンプの実施態様の１つを例示する概略図である。
【図４】ＤＣ−ＤＣ電圧調整器の実施態様の１つを例示する概略図である。
【図５】ＤＣ−ＤＣ電圧調整器のもう１つの実施態様を例示した概略図である。
【図６】Ｈ型ブリッジ及びＤＣモータの実施態様の１つを例示した概略図である。
【図７】タイム・スロット電力スイッチングの実施態様の１つを実施する機能を備えた装置の別の実施態様の一部を示す図である。
【図８】コンピュータ周辺装置のような電力消費装置の実施態様の１つを含むシステムの実施態様の１つを例示する概略図である。
【符号の説明】
【００２６】
１００、８１０  集積回路チップ（ＩＣ）
１１０、１２０、１３０  スイッチング・モータ駆動回路
１５０、１６０、１７０  スイッチング電圧調整器
８２０  電力消費装置
【図１】
2005185093.tif 000003
【図２Ａ】
2005185093.tif 000004
【図２Ｂ】
2005185093.tif 000005
【図３】
2005185093.tif 000006
【図４】
2005185093.tif 000007
【図５】
2005185093.tif 000008
【図６】
2005185093.tif 000009
【図７】
2005185093.tif 000010
【図８】
2005185093.tif 000011